(57)【要約】【課題】殺菌に用いた過酸化水素が残留しにくいチャック付き包装袋の無菌製袋充填方法を提供する。【解決手段】包装袋の表裏のフィルムとなる長尺フィルム１０１を搬送する工程、表裏のフィルムのいずれかの面となる位置に雄型嵌合部５１と雌型嵌合部５２が嵌合した状態のチャックテープ５を取り付ける工程、過酸化水素水に浸漬あるいは過酸化水素ガス処理により殺菌する工程、過酸化水素を除去する工程、製袋・充填シールする工程を有し、殺菌する工程で、取り付けたチャックテープの嵌合部が過酸化水素に触れないように、雄側取付基部５３と雌側取付基部５４で囲まれている。【選択図】図４
2017039502.tif 000002
【特許請求の範囲】
【請求項１】
開閉自在な雌雄の嵌合部とそれぞれの取付基部からなるチャックテープを設けたチャック付き包装袋の無菌製袋充填方法であって、
前記包装袋の表裏のフィルムとなる長尺フィルムを搬送する工程、表裏の前記フィルムのいずれかの面となる位置に雌雄の前記嵌合部が嵌合した状態の前記チャックテープを取り付ける工程、過酸化水素水に浸漬あるいは過酸化水素ガス処理により殺菌する工程、前記過酸化水素を除去する工程、製袋・充填シールする工程を有し、前記殺菌する工程で、取り付けたチャックテープの前記嵌合部が過酸化水素に触れないように囲まれていることを特徴とするチャック付き包装袋の無菌製袋充填方法。
【請求項２】
前記取付基部の上下両端部がそれぞれ繋がって筒状になり、前記嵌合部が前記筒状の中に囲まれていることを特徴とする請求項１に記載のチャック付き包装袋の無菌製袋充填方法。
【請求項３】
前記取付基部の上下いずれかの端部は折返されて繋がっていることを特徴とする請求項２に記載のチャック付き包装袋の無菌製袋充填方法。
【請求項４】
前記取付基部の上下いずれかの端部は接着されて繋がっていることを特徴とする請求項２または３に記載のチャック付き包装袋の無菌製袋充填方法。
【請求項５】
筒状の前記取付基部に互いに対向する位置に長手方向の溝が、前記包装袋の開封予定線に位置するように設けられていることを特徴とする請求項２から４のいずれか１項に記載のチャック付き包装袋の無菌製袋充填方法。
【請求項６】
前記取付基部の上下いずれかの端部は、一方の取付基部の幅が他方より幅広に形成され、表裏の前記フィルムのいずれかの面となる前記長尺フィルムの位置に他方の取付基部と、一方の取付基部の幅広部分の先端部分が接着され、前記嵌合部が囲まれていることを特徴とする請求項１に記載のチャック付き包装袋の無菌製袋充填方法。
【請求項７】
前記取付基部の幅が他方より幅広に形成されていない側の端部は、折返されて繋がっていることを特徴とする請求項６に記載のチャック付き包装袋の無菌製袋充填方法。
【請求項８】
前記取付基部の幅が他方より幅広に形成されていない側の端部は、接着されて繋がっていることを特徴とする請求項６に記載のチャック付き包装袋の無菌製袋充填方法。
【請求項９】
前記取付基部に長手方向の溝が、前記包装袋の開封予定線に位置するように設けられていることを特徴とする請求項６から８のいずれか１項に記載のチャック付き包装袋の無菌製袋充填方法。
【請求項１０】
前記取付基部の上下いずれかの端部は、一方の取付基部の幅が他方より幅広に形成され、表裏の前記フィルムのいずれかの面となる前記長尺フィルムの位置に他方の取付基部と、一方の取付基部の幅広部分の先端部分が接着されて、前記嵌合部が囲まれ、他方の前記取付基部の上端側に開封用引裂きテープが設けられていることを特徴とする請求項１に記載のチャック付き包装袋の無菌製袋充填方法。
【請求項１１】
前記取付基部の幅が他方より幅広に形成されていない側の端部は、折返されて繋がっていることを特徴とする請求項１０に記載のチャック付き包装袋の無菌製袋充填方法。
【請求項１２】
前記取付基部の幅が他方より幅広に形成されていない側の端部は、接着されて繋がっていることを特徴とする請求項１０に記載のチャック付き包装袋の無菌製袋充填方法。
【発明の詳細な説明】
【技術分野】
【０００１】
本発明は、チャック付き包装袋の無菌製袋充填方法に関するものである。
【背景技術】
【０００２】
病院で患者さんなどに、栄養剤や医薬品などの流動食を投与するとき、胃や腸に挿入したチューブを通して投与することがある。この場合、あらかじめ、パウチ内に収納されていた内容物に希釈液などを追加して、パウチの下方に設けられた注出口にチューブを連結させて行っている。
【０００３】
このようなパウチでは、希釈液などを追加するための充填口が設けられ、この充填口を再封するためのチャックが設けられているものがある。例えば、特許文献１に記載の「注出口付きパウチ」がある。
【０００４】
この注出口付きパウチは、上部シール部分に外部より飲料水等を注入するための開口部を有し、かつ前記開口部に左右に跨る開閉封自在なチャックが形成され、さらには、パウチを吊り下げるための吊下げ孔がシール部分に形成され、開口部の左右に少なくとも僅かなシール幅を残し、シール部分の一部を切り取った形状からなる切欠き部が形成され、開口部のチャックの上方の位置にシール部分の左右から内方に突出するシール部分が設けられている。
【０００５】
このような、栄養剤や医薬品などの内容物は、保存性や体内に投与されることから、無菌であることが求められる。そのため、一般にパウチは内容物が充填密封された後、加圧加熱殺菌されている。
【０００６】
この加圧加熱殺菌では、内容物の中心部まで充分に殺菌するために、外側部分の内容物には過度の熱処理が行われ、その結果、内容物の変質により、栄養分の損失や吸収されにくくなることが考えられる。
【０００７】
このような過度の熱処理を行わずに、充分な無菌性を得る方法として、無菌充填方法がある。これは、内容物は液体殺菌機などで殺菌しておき、殺菌処理した包装材料に、無菌の雰囲気中で無菌的に内容物を充填し密封シールする方法である。
【０００８】
このような無菌充填の場合は、包装材料の殺菌処理には、過酸化水素水へ浸漬させたり、過酸化水素ガスの雰囲気中を通したりして殺菌し、その後、包装材料に残留した過酸化水素を除去している。
【０００９】
しかし、前述のパウチのように、チャックが設けられていると、チャックの嵌合部に残留した過酸化水素は除去することが難しく、充分に除去しようとすると除去する時間が長くなり、コスト的な問題が生じる。
公知文献を以下に示す。
【先行技術文献】
【特許文献】
【００１０】
【特許文献１】特許第５００３０３７号公報
【発明の概要】
【発明が解決しようとする課題】
【００１１】
本発明は上記のような事情に鑑みてなされたもので、殺菌に用いた過酸化水素が残留しにくいチャック付き包装袋の無菌製袋充填方法を提供することを課題とする。
【課題を解決するための手段】
【００１２】
本発明は係る課題に鑑みなされたものであり、請求項１の発明は、開閉自在な雌雄の嵌合部とそれぞれの取付基部からなるチャックテープを設けたチャック付き包装袋の無菌製袋充填方法であって、
前記包装袋の表裏のフィルムとなる長尺フィルムを搬送する工程、表裏の前記フィルムのいずれかの面となる位置に雌雄の前記嵌合部が嵌合した状態の前記チャックテープを取り付ける工程、過酸化水素水に浸漬あるいは過酸化水素ガス処理により殺菌する工程、前記過酸化水素を除去する工程、製袋・充填シールする工程を有し、前記殺菌する工程で、取り付けたチャックテープの前記嵌合部が過酸化水素に触れないように囲まれていることを特徴とするチャック付き包装袋の無菌製袋充填方法である。
【００１３】
本発明の包装袋は、以上のような構成であって、殺菌する工程で、取り付けたチャックテープの嵌合部が過酸化水素に触れないように囲まれているので、除去しにくい嵌合部に過酸化水素に接しないので、殺菌に用いた過酸化水素が残留しにくい。
【００１４】
本発明の請求項２の発明は、前記取付基部の上下両端部がそれぞれ繋がって筒状になり、前記嵌合部が前記筒状の中に囲まれていることを特徴とする請求項１に記載のチャック付き包装袋の無菌製袋充填方法である。
【００１５】
本発明は、嵌合部が筒状の中に囲まれているので、一旦チャックテープを殺菌すれば、その後、嵌合部が汚染されにくく、衛生的で安全性が高い。
【００１６】
本発明の請求項３の発明は、前記取付基部の上下いずれかの端部は折返されて繋がっていることを特徴とする請求項２に記載のチャック付き包装袋の無菌製袋充填方法である。
【００１７】
本発明は、雌雄の嵌合部が接続している取付基部が繋がっているので、成型に当たって、１つの型でチャックテープを成型することができる。
【００１８】
本発明の請求項４の発明は、前記取付基部の上下いずれかの端部は接着されて繋がっていることを特徴とする請求項２または３に記載のチャック付き包装袋の無菌製袋充填方法である。
【００１９】
本発明は、取付基部の上下いずれかの端部は接着されて繋がっているので、接着の強さを加減することで、必要に応じて、剥離可能にさせたり、させなかったりすることができる。
【００２０】
本発明の請求項５の発明は、筒状の前記取付基部に互いに対向する位置に長手方向の溝が、前記包装袋の開封予定線に位置するように設けられていることを特徴とする請求項２から４のいずれか１項に記載のチャック付き包装袋の無菌製袋充填方法である。
【００２１】
本発明は、筒状の前記取付基部に互いに対向する位置に長手方向の溝が、包装袋の開封予定線に位置するように設けられているので、開封予定線で切断して、包装袋を開封すると、溝も破断され、包装袋の開封と同時に囲まれていた嵌合部が露出し、嵌合部を開け閉めすることができる。
【００２２】
本発明の請求項６の発明は、前記取付基部の上下いずれかの端部は、一方の取付基部の幅が他方より幅広に形成され、表裏の前記フィルムのいずれかの面となる前記長尺フィル
ムの位置に他方の取付基部と、一方の取付基部の幅広部分の先端部分が接着され、前記嵌合部が囲まれていることを特徴とする請求項１に記載のチャック付き包装袋の無菌製袋充填方法である。
【００２３】
本発明は、チャックテープが筒状でないので容易に製造ができる。また、上下一方の取付基部の幅が他方より幅広に形成され、幅の狭い分だけ使用する樹脂量が少なくて済む。
【００２４】
本発明の請求項７の発明は、前記取付基部の幅が他方より幅広に形成されていない側の端部は、折返されて繋がっていることを特徴とする請求項６に記載のチャック付き包装袋の無菌製袋充填方法である。
【００２５】
本発明は、折返されて繋がっているので、成型に当たって、１つの型でチャックテープを成型することができる。
【００２６】
本発明の請求項８の発明は、前記取付基部の幅が他方より幅広に形成されていない側の端部は、接着されて繋がっていることを特徴とする請求項６に記載のチャック付き包装袋の無菌製袋充填方法である。
【００２７】
本発明は、端部が接着されて繋がっているので、接着の強さを加減することで、必要に応じて、剥離可能にさせたり、させなかったりすることができる。
【００２８】
本発明の請求項９の発明は、前記取付基部に長手方向の溝が、前記包装袋の開封予定線に位置するように設けられていることを特徴とする請求項６から８のいずれか１項に記載のチャック付き包装袋の無菌製袋充填方法である。
【００２９】
本発明は、取付基部に長手方向の溝が、前記包装袋の開封予定線に位置するように設けられているので、開封予定線で切断して、包装袋を開封すると、溝も破断され、包装袋の開封と同時に囲まれていた嵌合部が露出し、嵌合部を開け閉めすることができる。
【００３０】
本発明の請求項１０の発明は、前記取付基部の上下いずれかの端部は、一方の取付基部の幅が他方より幅広に形成され、表裏の前記フィルムのいずれかの面となる前記長尺フィルムの位置に他方の取付基部と、一方の取付基部の幅広部分の先端部分が接着されて、前記嵌合部が囲まれ、他方の前記取付基部の上端側に開封用引裂きテープが設けられていることを特徴とする請求項１に記載のチャック付き包装袋の無菌製袋充填方法である。
【００３１】
本発明は、開封するのに開封用引裂きテープを引っ張るだけでよく、開封を失敗する恐れもない。また、チャックテープが筒状でないので容易に製造ができる。
【００３２】
本発明の請求項１１の発明は、前記取付基部の幅が他方より幅広に形成されていない側の端部は、折返されて繋がっていることを特徴とする請求項１０に記載のチャック付き包装袋の無菌製袋充填方法である。
【００３３】
本発明はさらに、取付基部の幅が他方より幅広に形成されていない側の端部は、折返されて繋がっているので、成型に当たって、１つの型でチャックテープを成型することができる。
【００３４】
本発明の請求項１２の発明は、前記取付基部の幅が他方より幅広に形成されていない側の端部は、接着されて繋がっていることを特徴とする請求項１０に記載のチャック付き包装袋の無菌製袋充填方法である。
【００３５】
本発明は、取付基部の幅が他方より幅広に形成されていない側の端部は、接着されて繋がっているので、接着の強さを加減することで、必要に応じて、剥離可能にさせたり、させなかったりすることができる。
【発明の効果】
【００３６】
本発明のチャック付き包装袋の無菌製袋充填方法は、殺菌に用いた過酸化水素が残留しにくく、安全で安心できる。
【図面の簡単な説明】
【００３７】
【図１】本発明のチャック付き包装袋の無菌製袋充填方法の第１の実施形態で製袋する包装袋を模式的に平面で示した説明図である。
【図２】本発明のチャック付き包装袋の無菌製袋充填方法の第１の実施形態で製袋する包装袋の開封した状態を模式的に平面で示した説明図である。
【図３】本発明のチャック付き包装袋の無菌製袋充填方法の第１の実施形態のフローチャートである。
【図４】（ａ）本発明のチャック付き包装袋の無菌製袋充填方法の第１の実施形態でチャックを取り付けた第１の例の断面図である。（ｂ）第２の例の断面図である。（ｃ）第３の例の断面図である。
【図５】（ａ）本発明のチャック付き包装袋の無菌製袋充填方法の第１の実施形態でチャックを取り付けた第４の例の断面図である。（ｂ）第５の例の断面図である。（ｃ）第６の例の断面図である。（ｄ）第７の例の断面図である。（ｅ）第８の例の断面図である。
【図６】本発明のチャック付き包装袋の無菌製袋充填方法の第２の実施形態で製袋する包装袋を模式的に平面で示した説明図である。
【図７】本発明のチャック付き包装袋の無菌製袋充填方法の第２の実施形態で製袋する包装袋の開封した状態を模式的に平面で示した説明図である。
【図８】（ａ）本発明のチャック付き包装袋の無菌製袋充填方法の第２の実施形態でチャックを取り付けた第１の例の断面図である。（ｂ）第２の例の断面図である。（ｃ）第３の例の断面図である。（ｄ）第４の例の断面図である。（ｅ）第５の例の断面図である。
【発明を実施するための形態】
【００３８】
＜第１の実施形態＞
以下、本発明を実施するための第１の実施形態につき説明する。
図１は、本発明のチャック付き包装袋の無菌製袋充填方法の第１の実施形態で製袋する包装袋を模式的に平面で示した説明図である。
図２は、本発明のチャック付き包装袋の無菌製袋充填方法の第１の実施形態で製袋する包装袋の開封した状態を模式的に平面で示した説明図である。
【００３９】
第１の実施形態で無菌製袋充填する包装袋１００は、図１のように、表裏のフィルムが重ね合わされ、天シール部１、左側シール部２、右側シール部３と地シール部４で囲まれた未シール部からなる内容物収納部が設けられた包装袋である。
【００４０】
天シール部１の右側は広幅シール部１ａになっていて、左側の天シール部１の下方に、チャックテープ５が左右方向に向けて設けられている。チャックテープ５の右側は広幅シール部１ａにまで設けられている。
【００４１】
また、チャックテープ５の嵌合部より上端側に開封予定線６が想定されていて、開封予定線６の左側の左側シール部２に開封用ノッチ７が設けられている。また、開封予定線６の右側の広幅シール部１ａには天シール部１の上端より下方に向かう切れ目８が設けられていて、それ以上広幅シール部１ａが切断されず、開封予定線６と切れ目８で囲まれた範囲が切り取れるようになっている。切れ目８には、切れていない繋ぎ部を設けて、うっか
り引っ掛けて切断されにくくしている。
【００４２】
図２のように開封予定線６と切れ目８で囲まれた範囲を切り取るとチャックテープ５の嵌合部が露出するので、雌雄の嵌合部を開いて、希釈液などを追加することができる。更に嵌合部を閉じて再封することができる。
【００４３】
更に、広幅シール部１ａには吊下げられるように貫通孔からなる吊下げ孔９が設けられている。地シール部４は、左右が傾斜して中央部が低くなるように形成されていて、中央部に口栓１０が表裏のフィルムに挟まれ、接着して取り付けられている。
【００４４】
この様になっているので、吊下げ孔９をフックなどに引っ掛けて吊下げると、内容物収納部の流動食などの液体内容物が、口栓１０よりスムーズに流れ出る。
【００４５】
図３は、本発明のチャック付き包装袋の無菌製袋充填方法の第１の実施形態のフローチャートである。
図４（ａ）〜（ｃ）は、本発明のチャック付き包装袋の無菌製袋充填方法の第１の実施形態でチャックを取り付けた第１〜第３の例の断面図である。
図５（ａ）〜（ｇ）は、本発明のチャック付き包装袋の無菌製袋充填方法の第１の実施形態でチャックを取り付けた第４〜第１１の例の断面図である。
以下、本発明のチャック付き包装袋の無菌製袋充填方法について、図３のフローチャート及び図４、図５を参照して説明する。
【００４６】
（ステップＳ１）包装袋１００の表裏のフィルムとなる長尺フィルム１０１を搬送する。本実施形態では、表フィルムと裏フィルムは長尺フィルム１０１の幅方向に天シール部１側を中央にして連続している。
【００４７】
（ステップＳ２）長尺フィルム１０１の表裏のフィルムのいずれかとなる位置で包装袋１００の地シール部４の中央部になるように口栓１０を接着して取り付ける。また、長尺フィルム１０１の表裏のフィルムのいずれかの面となる位置で包装袋１００の天シール部１の下方になるように帯状のチャックテープ５を取り付ける。
【００４８】
取り付けたチャックテープ５は、図４（ａ）、（ｂ）、（ｃ）に示す、チャックテープ５ａ、５ｂ、５ｃのように、雄型嵌合部５１と、雄型嵌合部５１が嵌り込んだ雌型嵌合部５２と、それぞれの嵌合部を表フィルム、裏フィルムに取り付けるための雄側取付基部５３、雌側取付基部５４からなっている。
【００４９】
そして、チャックテープ５ａ、５ｂ、５ｃは、雄側取付基部５３と雌側取付基部５４の上端の端部が、また、下端の端部がそれぞれ繋がっていて筒状になっている。この状態で、表裏のフィルムのいずれかの面の包装袋１００の天シール部１の下方になるよう長尺フィルム１０１に、片側の雄側取付基部５３が溶着して接着している。
【００５０】
このように、取り付けたチャックテープの嵌合部５１、５２は、雄側取付基部５３と雌側取付基部５４の筒状の内部に収納される。雌側取付基部５４の外側は、製袋時に表裏のフィルムの他方にフィルムに溶着して接着される。
【００５１】
また、雄側取付基部５３と雌側取付基部５４の嵌合部５１、５２より上方には、内面側の互いに対向する位置に長手方向の溝５５、５５が設けられている。溝５５の位置は、包装袋１００の開封予定線６と同じ位置に来るように設けられている。また、雄側取付基部５３と雌側取付基部５４の上端の端部は、溶着されて繋がっている。
【００５２】
雄側取付基部５３と雌側取付基部５４の下端の端部は、チャックテープ５ａでは、シート状で折り返されて繋がっていて、折返し部が薄くなっていて破断されやすくなっている。また、チャックテープ５ｂでは上端の端部と同様に、溶着されて繋がっているが、表面酸化処理などにより容易に剥離されやすくなっている。
【００５３】
チャックテープ５ｃでは、下端の端部は、イージーピールフィルム５６を挟んで溶着されて繋がっているイージーピールフィルム５６を挟んで溶着することによって、剥離されやすくなっている。
【００５４】
尚、ここでは、表裏のフィルムの長尺フィルムに帯状のチャックテープ５を取り付けるたが、チャックテープ５を包装袋１００に必要な長さにカットして、長手方向の先端部分を潰して溶着させて、嵌合部５１、５２を内側に囲うようにして、取り付けてもよい。
【００５５】
チャックテープ５は、図５（ａ）、（ｂ）、（ｃ）（ｄ）、（ｅ）に示す、チャックテープ５ｄ、５ｅ、５ｆ、５ｇ、５ｈのように筒状になっていない形状のものを取り付けてもよい。これらのチャックテープ５では、雌側取付基部５４の上端部あるいは下端部が、雄側取付基部５３より幅広に形成されていて、表裏のフィルムのいずれかの面の包装袋１００の天シール部１の下方になるよう長尺フィルム１０１に、雌側取付基部５４の幅広部分の先端部分と雄側取付基部５３の全面が溶着されて接着している。
【００５６】
チャックテープ５ｄでは、雌側取付基部５４の上端部が雄側取付基部５３の上端部より幅広に形成され、雌側取付基部５４の上端部の先端部分と雄側取付基部５３の全面が溶着されて接着している。
【００５７】
このように取り付けられているので、取り付けたチャックテープの嵌合部５１、５２は、雄側取付基部５３と雌側取付基部５４と長尺フィルム１０１で囲まれた内部に収納される。雌側取付基部５４の外側は、製袋時に表裏のフィルムの他方にフィルムに溶着して接着される。
【００５８】
そして、雄側取付基部５３と雌側取付基部５４の両方の下端部は、シート状で折り返されて繋がっていて、折返し部が薄くなっていて破断されやすくなっている。また、雌側取付基部５４の上端部分には、溝５５が設けられている。溝５５の位置は、包装袋１００の開封予定線６と同じ位置に来るように設けられている。
【００５９】
チャックテープ５ｅは、他の部分はチャックテープ５ｄと同様であるが、雄側取付基部５３と雌側取付基部５４の両方の下端部が異なり、溶着されて繋がっている。但し、表面酸化処理などにより容易に剥離されやすくなっている。
【００６０】
チャックテープ５ｆは、他の部分はチャックテープ５ｄと同様であるが、雄側取付基部５３と雌側取付基部５４の両方の下端部は、イージーピールフィルム５６を挟んで溶着されて繋がっている。イージーピールフィルム５６を挟んで溶着することによって、剥離されやすくなっている。
【００６１】
チャックテープ５ｇでは、チャックテープ５ｄと異なり、雌側取付基部５４の下端部が雄側取付基部５３の下端部より幅広に形成され、雌側取付基部５４の下端部の先端部分と雄側取付基部５３の全面が長尺フィルム１０１に溶着されて接着している。尚、雌側取付基部５４の下端部の先端部分は、イージーピールフィルム５６を挟んで長尺フィルム１０１に溶着されて接着している。このため、開封し嵌合を外した後、剥離して広げることができる。
【００６２】
このように取り付けられているので、取り付けたチャックテープの嵌合部５１、５２は、雄側取付基部５３と雌側取付基部５４と長尺フィルム１０１で囲まれた内部に収納される。雌側取付基部５４の外側は、製袋時に表裏のフィルムの他方にフィルムに溶着して接着される。
【００６３】
そして、雄側取付基部５３と雌側取付基部５４の両方の上端部は、シート状で折り返されて繋がっている。また、雄側取付基部５３と雌側取付基部５４の嵌合部５１、５２より上方には、内面側の互いに対向する位置に長手方向の溝５５、５５が設けられている。溝５５の位置は、包装袋１００の開封予定線６と同じ位置に来るように設けられている。このため、開封予定線６で包装袋１００を開封したときに、溝５５、５５が同時に切断され、嵌合部５１、５２が露出される。
【００６４】
チャックテープ５ｈは、他の部分はチャックテープ５ｇと同様であるが、雄側取付基部５３と雌側取付基部５４の両方の上端部が異なり、溶着されて繋がっている。
【００６５】
（ステップＳ３）チャックテープ５を取り付けた長尺フィルム１０１を過酸化水素水に浸漬あるいは過酸化水素ガス処理により殺菌する。このとき、チャックテープ５の雄型嵌合部５１と雌型嵌合部５２は、勘合した状態で、雄側取付基部５３と雌側取付基部５４に、あるいは更に長尺フィルムで囲まれていて、直接過酸化水素に触れることがない。
【００６６】
尚、雄型嵌合部５１と雌型嵌合部５２など、雄側取付基部５３と雌側取付基部５４や長尺フィルム１０１で囲まれた部分は、過酸化水素により殺菌されないので、必要であれば、長尺フィルム１０１に取り付ける直前に、チャックテープ５を紫外線や電子線などで殺菌することもできる。また、あらかじめ、ガンマー線殺菌やガス滅菌などをしておいて用いてもよい。
【００６７】
（ステップＳ４）過酸化水素水に浸漬あるいは過酸化水素ガス処理したチャックテープ５を取り付けた長尺フィルム１０１には、過酸化水素が表面に付着したり、表面近傍に浸透したりしているので、無菌エアーなどの無菌ガスを吹き付けて過酸化水素を除去する。場合によっては、無菌の水で洗ってから、無菌ガスを吹き付けてもよい。
【００６８】
（ステップＳ５）過酸化水素で殺菌して、過酸化水素を除去したチャックテープ５を取り付けた長尺フィルム１０１を、表フィルムと裏フィルムが重なるようにして、内容物の充填口となるシール部を除き、周縁部をシールする。このとき、地シール部４は口栓１０を挟んでシールする。また、チャックテープ５の雌側取付基部５４の外側面も、表フィルムあるいは裏フィルムの内面に溶着する。
【００６９】
そして、シールしなかった内容物の充填口から、別途殺菌された内容物を充填し、充填口をシールし密封する。そして、外形を抜きや断裁により切断し、内容物の充填された包装袋１００が得られる。また、開封用ノッチ７や、切れ目８、吊下げ孔９もこの抜きや断裁時に設ける。
【００７０】
以上のステップＳ１からステップＳ５の工程は、クリーンルームやクリーンブースなどの無菌雰囲気内にて行う。また、過酸化水素による殺菌や過酸化水素の除去は、更に囲われたゾーンを設けて、他の工程に酸化水素が拡散しないようにして行う。以上のようにして、包装袋１００を製造するので、殺菌に用いた過酸化水素が残留しにくい
このようにして、製造した包装袋１００を使用する場合、内容物が流動食であれば、左側シール部２にもうけられた開封用ノッチ７から開封予定線６に沿って切れ目８まで切り開き、図２のように、開封する。
【００７１】
そして、露出したチャックテープ５の嵌合部を開き、雄側取付基部５３と雌側取付基部５４が接着している下端部、あるいは、長尺フィルム１０１と接着している雌側取付基部５４の下端部を剥がしして内容物収納部を開ける。
【００７２】
次に、内容物収納部へ希釈液などを追加して、チャックテープ５を閉め、良く混ぜ合わせた後、口栓１０にチューブなどを接続し、吊下げ孔９をフックに掛けて吊下げ、患者さんなどに流動食を投与する。
【００７３】
＜第２の実施形態＞
以下本発明を実施するための第２の実施形態につき説明する。
図６は、本発明のチャック付き包装袋の無菌製袋充填方法の第２の実施形態で製袋する包装袋を模式的に平面で示した説明図である。
図７は、本発明のチャック付き包装袋の無菌製袋充填方法の第２の実施形態で製袋する包装袋の開封した状態を模式的に平面で示した説明図である。
【００７４】
第２の実施形態で製袋する包装袋２００は、表裏のフィルムが重ね合わされ、図６のように、天シール部１、左側シール部２、右側シール部３と地シール部４で囲まれた未シール部からなる内容物収納部が設けられた包装袋である。
【００７５】
天シール部１の右側は広幅シール部１ａになっていて、左側の天シール部１の下方に、チャックテープ５が左右方向に向けて設けられている。チャックテープ５の右側は広幅シール部１ａにまで設けられている。
【００７６】
また、チャックテープ５の嵌合部より上端側に開封用引裂きテープ１１が設けられていて、開封用引裂きテープ１１の左側の左側シール部２に、開封用引裂きテープ１１を引っ張り、引裂きを開始するための貫通孔１２が設けられている。また、広幅シール部１ａには開封用引裂きテープ１１を切断する縦方向の切れ目１３が設けられていて、それ以上開封用引裂きテープ１１による引裂きが進まないようになっている。
【００７７】
開封用引裂きテープ１１を引っ張り、開封すると図７のように、開封用引裂きテープ１１が、貫通孔１２より切れ目１３まで取り除かれ、開封孔１４ができ、チャックテープ５の嵌合部が露出するので、雌雄の嵌合部を開いて、希釈液などを追加することができる。そして、嵌合部を閉じて再封することができる。
【００７８】
更に、広幅シール部１ａには吊下げられるように貫通孔からなる吊下げ孔９が設けられている。地シール部４は、左右が傾斜して中央部が低くなるように形成されていて、中央部に口栓１０が表裏のフィルムに挟まれ、接着して取り付けられている。
【００７９】
この様になっているので、吊下げ孔９をフックなどに引っ掛けて吊下げると、内容物収納部の流動食などの液体内容物が、口栓１０よりスムーズに流れ出る。
【００８０】
包装袋２００の無菌製袋充填方法については、包装袋１００と略同様である。フローチャートは図３と同じである。取り付けるチャックテープ５に開封用引裂きテープ１１が付いていて、開封用引裂きテープ１１により開封するようになっている点が、大きく異なる。
【００８１】
（ステップＳ２）において、長尺フィルム１０１の表裏のフィルムのいずれかとなる位置で包装袋２００の地シール部４の中央部になるように口栓１０を接着して取り付ける。また、長尺フィルムの表裏のフィルムのいずれかの面となる位置で包装袋２００の天シール部１の下方になるように帯状のチャックテープ５を取り付けることまでは同様であるが
、取り付けるチャックテープ５が異なる。
【００８２】
図８（ａ）〜（ｅ）は、本発明のチャック付き包装袋の無菌製袋充填方法の第２の実施形態でチャックを取り付けた第１〜）第５の例の断面図である。
【００８３】
取り付けたチャックテープ５は、図８（ａ）、（ｂ）、（ｃ）、（ｄ）、（ｅ）に示す、チャックテープ５ｉ、５ｊ、５ｋ、５ｌ、５ｍのように、雄型嵌合部５１と、雄型嵌合部５１が嵌り込んだ雌型嵌合部５２と、それぞれの嵌合部を表フィルム、裏フィルムに取り付けるための雄側取付基部５３、雌側取付基部５４からなっている。
【００８４】
これらのチャックテープ５ｉ、５ｊ、５ｋ、５ｌ、５ｍでは、雌側取付基部５４の上端部あるいは下端部が、雄側取付基部５３より幅広に形成されていて、表裏のフィルムのいずれかの面の包装袋２００の天シール部１の下方になるよう長尺フィルム１０１に、雌側取付基部５４の幅広部分の先端部分と雄側取付基部５３の全面が溶着されて接着している。そして、開封用引裂きテープ１１が、雄側取付基部５３の雄型嵌合部５１より上方に取り付けられている。
【００８５】
チャックテープ５ｉ、５ｊ、５ｋでは、雌側取付基部５４の上端部が雄側取付基部５３の上端部より幅広に形成され、雌側取付基部５４の上端部の先端部分と雄側取付基部５３の全面が長尺フィルム１０１に溶着されて接着している。
【００８６】
このように取り付けられているので、取り付けたチャックテープ５の嵌合部５１、５２は、雄側取付基部５３と雌側取付基部５４と長尺フィルム１０１で囲まれた内部に収納される。雌側取付基部５４の外側は、製袋時に表裏のフィルムの他方にフィルムに溶着して接着される。
【００８７】
そして、雄側取付基部５３の上端部分には、開封用引裂きテープ１１が取り付けられている。また、取り付けた開封用引裂きテープ１１の下側近傍には、雄側取付基部５３に薄肉の溝５７が設けられている。溝５７を設けているので、開封用引裂きテープ１１を引っ張って長尺フィルムを切断するときに、雄側取付基部５３もこの溝５７で切断され、包装袋２００が開封できる。
【００８８】
チャックテープ５ｉでは、雄側取付基部５３と雌側取付基部５４の両方の下端部は、シート状で折り返されて繋がっていて、折返し部が薄くなっていて破断されやすくなっている。
【００８９】
チャックテープ５ｊは、他の部分はチャックテープ５ｄと同様であるが、雄側取付基部５３と雌側取付基部５４の両方の下端部が異なり、溶着されて繋がっている。但し、表面酸化処理などにより容易に剥離されやすくなっている。
【００９０】
チャックテープ５ｊは、他の部分はチャックテープ５ｉと同様であるが、雄側取付基部５３と雌側取付基部５４の両方の下端部が異なり、溶着されて繋がっている。但し、表面酸化処理などにより容易に剥離されやすくなっている。
【００９１】
チャックテープ５ｋは、他の部分はチャックテープ５ｉと同様であるが、雄側取付基部５３と雌側取付基部５４の両方の下端部は、イージーピールフィルム５６を挟んで溶着されて繋がっている。イージーピールフィルム５６を挟んで溶着することによって、剥離されやすくなっている。
【００９２】
チャックテープ５ｌでは、チャックテープ５ｉと異なり、雌側取付基部５４の下端部が
雄側取付基部５３の下端部より幅広に形成され、雌側取付基部５４の下端部の先端部分と雄側取付基部５３の全面が長尺フィルム１０１に溶着されて接着している。尚、雌側取付基部５４の下端部の先端部分は、イージーピールフィルム５６を挟んで長尺フィルム１０１に溶着されて接着している。このため、開封し嵌合を外した後、剥離して広げ、内容物収納部を開放させることができる。
【００９３】
このように取り付けられているので、取り付けたチャックテープの嵌合部５１、５２は、雄側取付基部５３と雌側取付基部５４と長尺フィルム１０１で囲まれた内部に収納される。雌側取付基部５４の外側は、製袋時に表裏のフィルムの他方にフィルムに溶着して接着される。
【００９４】
そして、雄側取付基部５３と雌側取付基部５４の両方の上端部は、シート状で折り返されて繋がっている。また、雄側取付基部５３の雄型嵌合部５１より上方には、内面側に開封用引裂きテープ１１が取り付けられており、また、その上下の近傍には、雄側取付基部５３に薄肉の溝５７、５７が設けられている。溝５７を設けているので、開封用引裂きテープ１１を引っ張って包装袋２００のフィルムを切断するときに、雄側取付基部５３もこの溝５７で切断され、包装袋２００が開封できる。
【００９５】
チャックテープ５ｍは、他の部分はチャックテープ５ｌと同様であるが、雄側取付基部５３と雌側取付基部５４の両方の上端部が異なり、溶着されて繋がっている。
【００９６】
以上、包装袋２００の無菌製袋充填方法について、包装袋１００と異なる部分について説明した。他の部分は包装袋１００と同様である。このようにして、包装袋２００を製造するので、包装袋１００と同様に、殺菌に用いた過酸化水素が残留しにくい。
【００９７】
製造した包装袋２００を使用する場合、内容物が流動食であれば、図１の左側シール部２にもうけられた貫通孔１２から開封用引裂きテープ１１を引っ張って包装袋２００のフィルムを切断し、切れ目１３まで切り開き、図７のように、開封する。
【００９８】
そして、露出したチャックテープ５の嵌合部を開き、雄側取付基部５３と雌側取付基部５４が接着している下端部、あるいは、長尺フィルム１０１と接着している雌側取付基部５４の下端部を剥がしして内容物収納部を開ける。
【００９９】
次に、内容物収納部へ希釈液などを追加して、チャックテープ５を閉め、良く混ぜ合わせた後、口栓１０にチューブなどを接続し、吊下げ孔９をフックに掛けて吊下げ、患者さんなどに流動食を投与する。
【０１００】
本発明のチャック付き包装袋の無菌製袋充填方法で用いる長尺フィルム１０１には、基材層とシーラント層が積層された積層フィルムが好ましく用いられる。基材層としては、ナイロン、ポリエチレンテレフタレート、ポリプロピレン等の樹脂の２軸延伸、あるいは、１軸延伸、未延伸のフィルムが好ましく使用できる。その場合の厚さは１２〜５０μｍ程度である。
【０１０１】
基材層を多層にして設けても良い。多層の基材層としては、外層側から、ポリエチレンテレフタレート／ナイロン、ナイロン／ポリエチレンテレフタレート、ナイロン／無機酸化物蒸着ポリエチレンテレフタレート、ナイロン／エチレンビニル合うコール共重合体、などの積層したフィルムを用いることができる。蒸着に用いる無機酸化物としては、アルミナやシリカなどが好ましく用いられる。
【０１０２】
シーラント層には、熱溶融性樹脂が用いられる。低密度ポリエチレンや直鎖状低密度ポ
リエチレンが好ましく用いられる。また、これらの樹脂と他の樹脂からなる、多層の共押し出しフィルムを用いても良い。
【０１０３】
シーラント層の厚さは、内容物の量によって、調整されるものであるが、５０μｍから１８０μｍの厚さが用いられやすい。
【０１０４】
基材層とシーラント層の貼り合せ方法、および、多層の基材層の基材どうしの貼り合せ方法は、ドライラミネート法で行うことが好ましい。また、場合によっては、サンドイッチラミネート法で行ってもかまわないし、シーラント層を押出機から製膜しながら押出して、基材層に貼り合わせる押出ラミネート法で行っても良い。
【０１０５】
また、絵柄印刷層を基材層の裏面に設けることができる。また、多層の基材層の場合は、基材どうしの層の間に絵柄印刷層を設けることができる。絵柄印刷層を設ける印刷方式は、特に限定するものではないが、通常、グラビア印刷、あるいは、フレキソ印刷が用いられる。
【０１０６】
チャックテープ５には、シーラント層に融着可能な樹脂を用いる。例えば、シーラント層に低密度ポリエチレンや直鎖状低密度ポリエチレンを用いた場合は、チャックテープ５にポリエチレン系樹脂を用いて、押出成型により連続して製造することができる。
【０１０７】
開封用引裂きテープ１１は、ポリプロピレンやポリエチレンテレフタレート、ナイロンなどの延伸フィルムを基材層として用い、チャックテープ５の取付基部側に、粘着剤やヒートシール剤などを塗布して、スリットして作成し、チャックテープ５にあらかじめ接着し、一体化させて用いる。この様にすると、製袋時に別々に取り付けることなく、一度に取り付けることができる。勿論、チャックテープ５に一体化させずに、直接長尺フィルム１０１に取り付けてもよい。
【０１０８】
以上のように、本発明のチャック付き包装袋の無菌製袋充填方法によれば、過酸化水素が残留しにくく、安全で衛生的なチャック付き包装袋が提供できる。
【符号の説明】
【０１０９】
１００、２００・・・包装袋
１０１・・・長尺フィルム
１・・・天シール部
２・・・左側シール部
３・・・右側シール部
４・・・地シール部
１ａ・・・広幅シール部
５・・・チャックテープ
５１・・・雄型嵌合部
５２・・・雌型嵌合部
５３・・・雄側取付基部
５４・・・雌側取付基部
５５、５７・・・溝
５６・・・イージーピールフィルム
６・・・開封予定線
７・・・開封用ノッチ
８・・・切れ目
９・・・吊下げ孔
１０・・・口栓
１１・・・開封用引裂きテープ
１２・・・貫通孔
１３・・・切れ目
１４・・・開封孔
【図１】
2017039502.tif 000003
【図２】
2017039502.tif 000004
【図３】
2017039502.tif 000005
【図４】
2017039502.tif 000006
【図５】
2017039502.tif 000007
【図６】
2017039502.tif 000008
【図７】
2017039502.tif 000009
【図８】
2017039502.tif 000010